(57)【要約】      （修正有）【課題】電話帳等の並製本や雑誌を棚に綺麗に整列させ、並製本・雑誌２がへたるのを防止する棚を提供する。【解決手段】棚１の側板の内側下部に、側板と接する部位から奥に向けて緩やかに側板から離れる弾性体の舌状片１４を設けた。棚１に並製本・雑誌２を収納すると棚奥で舌状片１４の弾性力を受けることから、本・雑誌が安定する。さらに、そこから棚の本・雑誌が数冊取り出されても、舌状片１４の弾性力により、棚奥で隙間の発生を抑制し本・雑誌の倒れこみを防ぐ。【選択図】図２
0003209837.tif 000002
【実用新案登録請求の範囲】
【請求項１】
側板の内側下部において、側板と接する部位から奥に向けて緩やかに側板から離れる弾性体舌状片を有する棚
【請求項２】
１枚の板片を折り曲げて断面をＶ字形とした形成体と同様の形状で、水平な面に置き真上から見てＶ字形となる弾性体舌状片を有するスペーサー
【請求項３】
請求項２のスペーサーの一片外側に差込突起を設けた弾性体舌状片を有するアタッチメント
【請求項４】
台板端部から垂直に立板が立ち上がり、立板の先端部又は中途から鋭角に台板に向かって伸びる弾性体舌状片を有するブックエンド
【考案の詳細な説明】
【技術分野】
【０００１】  本考案は、書棚等に収納する電話帳等の並製本や雑誌がへたる（曲がる）ことを防止する舌状片を有する棚、スペーサー、アタッチメント及びブックエンドに関するものである。
【背景技術】
【０００２】  現在市販されている書棚で本や雑誌がへたるのを防止し整列した状態を維持することは困難である。
【考案の概要】
【考案が解決しようとする課題】
【０００３】  電話帳等の並製本や雑誌を棚に並べると本・雑誌の開閉側（背表紙側ではなく本・雑誌を開く側）下部がへたって（曲がって）しまうことにより、本・雑誌が倒れて綺麗に整列させられない。これは、棚にできた隙間に本・雑誌が倒れこみ長期間傾斜状態に置かれることで、強度が弱い本・雑誌の開閉側からへたり出し、後には本・雑誌の全体がへたってしまうことが原因である。このため、職場内で特定の几帳面な人が毎日のように本・雑誌の整列に大きな労力を費やしている。
【課題を解決するための手段】
【０００４】  図１は請求項１の一例である棚１を示す。棚側板１１の内側下部で棚奥へ向けて開いた弾性体である舌状片１４を有しており、本・雑誌を棚奥へ押し込む力により棚の両側にある舌状片１４が圧縮される。収納された本・雑誌は棚奥の開閉側で舌状片１４の弾性力を受けることから、並製本や雑誌等がへたる（曲がる）のを防止できる。
【考案の効果】
【０００５】  図２上図のように、棚１に適量の並製本・雑誌２（以下本段落において「本等」という。）を収納すると棚奥で本等の開閉側が舌状片１４の弾性力を受けることから、本等が安定する。さらに、そこから図２下図のように棚の本等が数冊取り出されても、舌状片１４の弾性力により、棚奥で隙間の発生を抑制し本等の倒れこみを防ぐことから、本等がへたるのを防止し整列状態を維持できる。なお、この棚１は内部に舌状片１４を有するものの、本等の収納数をほとんど減らすことがない。また、棚１の手前側（本背表紙側）は舌状片１４の弾性力の影響をほとんど受けないことから、本等の出し入れは円滑に行える。【０００６】  図３は、請求項２の一例であるスペーサー３を示す。一般的な形状の書棚にスペーサー３を図１の舌状片１４の代用として棚奥隅に置くことで、請求項１の使用と同様の効果を得ることができる。【０００７】  図４は、請求項３の一例であるアタッチメント４を示す。一般的な鋼製書棚には側板部に棚受金具の差込穴１５が開いており、この穴にアタッチメント４の差込突起４２を差し込むことで図１の舌状片１４の代用となり、請求項１の使用と同様の効果を得ることができる。【０００８】  図５は、請求項４の一例であるブックエンド５を示す。一般的な形状の書棚にブックエンド５を図１の舌状片１４の代用として棚奥隅に置くことで、請求項１の使用と同様の効果を得ることができる。なお、図５の拡大図のように、台板５１の先端部を徐々に薄くする傾斜断面とすれば、本・雑誌がへたること防止するために必要となる本・雑誌の左右方向の移動が円滑になる。【０００９】  図６は、スペーサー３又はブックエンド５のそれぞれ２個を対称に組み合わせた形成体である。棚幅が広い場合や棚幅に対して本・雑誌の数が若干少ない場合に、この形成体を棚奥の中間部に置くことで、本・雑誌がより効率的に舌状片（１４、３１、４１又は５３）の弾性力を受けることができる。【００１０】  本考案の棚１・スペーサー３・ブックエンド５は、書棚以外でも机の引出しなど本・雑誌の背表紙側を上に開閉側を下にして収納する箱等で利用しても並製本や雑誌等がへたることを防止する効果が得られる。【００１１】  さらに、本考案のブックエンド５は、書棚等に本・雑誌が一定数溜まった状態で使用することでその効果を発揮するが、一定数の本・雑誌が溜まるまでの間は一般的なブックエンドとして使用できる。
【図面の簡単な説明】
【００１２】
【図１】本考案の「弾性体舌状片を有する棚」の一例である。
【図２】本考案の棚に並製本・雑誌を並べた状態を示す水平断面図である。
【図３】本考案の「弾性体舌状片を有するスペーサー」の一例である。
【図４】本考案の「弾性体舌状片を有するアタッチメント」の一例である。
【図５】本考案の「弾性体舌状片を有するブックエンド」の一例である。
【図６】本考案のスペーサー又はブックエンドのそれぞれ２個を合わせたもので、棚奥の中間部に設置できる形成体の平面図である。
【考案を実施するための形態】
【００１３】  本考案による棚、本考案によるアタッチメントを側板に付けた棚又は、本考案によるスペーサー若しくはブックエンドを棚奥に置いた書棚等に、並製本や雑誌等を適量並べるだけで本・雑誌を整列した状態にできる。さらに、そこから本・雑誌が数冊取り出されても本・雑誌の整列した状態を維持できる。
【実施例】
【００１４】  図２にその実施例を示した。
【符号の説明】
【００１５】  １  弾性体舌状片を有する「棚」の一例
１１  棚側板
１２  棚奥板
１３  棚板
１４  棚の舌状片
１５  棚受金具の差込穴
２  並製本・雑誌
３  弾性体舌状片を有する「スペーサー」の一例
３１  スペーサーの舌状片
４  弾性体舌状片を有する「アタッチメント」の一例
４１  アタッチメントの舌状片
４２  アタッチメントの差込突起
５  弾性体舌状片を有する「ブックエンド」の一例
５１  ブックエンドの台板
５２  ブックエンドの立板
５３  ブックエンドの舌状片
【図１】
0003209837.tif 000003
【図２】
0003209837.tif 000004
【図３】
0003209837.tif 000005
【図４】
0003209837.tif 000006
【図５】
0003209837.tif 000007
【図６】
0003209837.tif 000008
【手続補正書】
【提出日】平成29年1月21日(2017.1.21)
【手続補正１】
【補正対象書類名】実用新案登録請求の範囲
【補正対象項目名】全文
【補正方法】変更
【補正の内容】
【実用新案登録請求の範囲】
【請求項１】
側板の内側下部において、側板と接する部位から奥に向けて緩やかに側板から離れる弾性体舌状片を有する棚
【請求項２】
前記側板と接する位置に前記弾性体舌状片を備えるスペーサーを備え、
前記スペーサーは１枚の板片を折り曲げた断面Ｖ字形であることを特徴とする請求項１記載の棚
【請求項３】
前記スペーサーの前記側板側の面に差込突起を設けたことを特徴とする請求項２記載の棚
【請求項４】
ブックエンドをさらに備え、
前記ブックエンドは、台板と、前記台板端部から垂直に立ち上がる立板と、立板の先端部又は中途から鋭角に台板に向かって伸びる舌状片を有することを特徴とする請求項１記載の棚